(57)【要約】【課題】  発電機はその昔発電機にモーター機能があると偶然大発見された時以来、発電時の駆動方法は唯一機械力の回転に依るもので電流力の出力もモーター力も等価であると思考が統一固定された。電気の消費量も時代の進展と共に大量となっている、現在発電行為の主とする蒸気力の使用は結果的に天然資源の枯渇を招き、熱源部材の選択方法の如何により時に資源消費対効果効率の問題点が既成利益をも逆転させる大災害も出来する。【解決手段】  本発明の発電機は発電原理を再検討した電磁誘導方式、静電誘導方法の２新発明方式で以って発電を完成する。両機共機体始動入力に機械的熱エネルギーは必要としない機構である。従来機の資源浪費型から飛躍した発明発電機体で以って次代へ繋げる、その発電動力原資は電子の強力な貫徹力と最強のクーロン力が示す活用が発明源である。【選択図】図２
2013081347.tif 000002
【特許請求の範囲】
【請求項１】
本発明の其の１機とする発電機体は従来機と発電原理は同じ電磁誘導方式によるものであるが、本発明の発電方式は従来機のような機械的な力で以って機体の回転軸を駆動させ発電する構式ではない、発明機体は外力を必要としない方式で外部にも応力を示さない静型状発電機体となる、これは電磁誘導学の原理の活用方法を改変した新方式の発明である。原理は磁力線力を中核とし磁石を中心に、電流成分が表わす対ローレンツ力、力成分が表わす対レンツ力で発生する電流等の両力成分をフレミング左右手則の原理が案内するベクトルの作用点に短絡集合合体させた。その部を機械力的合成で相殺させた成分力によるキックバック力を発電原資とした。発明はその発電動力原資をクーロン力四態（重力場，磁力線場，電気力線場，電子原子核間の各場）の内、電子と原子核間場が持つ強大な力を発揮する電子の電流力に求めた。従来機の発電行動は前段取りや膨大な設備や燃料の用意等が必要である、その発電行動の実態はクーロン力場の内、重力場の作用範疇にある、その部分の従来機に対する発明機の発電入力との等価量は、少量のクーロン力を利用した電流力入力で賄え発電することが出来るとする、これは本発明が発見したクーロン力四態の内、力積差間の課題を究明解決した事による力成分を電流力に変更して活用するとする発電方式である。これらの改変原理の新発電結果を利用特徴として製作する新発明原理の発電機体。
【請求項２】
本発明の発電機体の発電部の発電構成素子は従来機の様な回転構造部がないため永久磁石本体部と電流発生受領部の部材を板状とすることが出来る、部材を接触密着固定様の状態にさせ磁気反応部を高効率化にする事にある。この部分は従来機一般の構造では空気間隙のある機械的非接触状態としており、回転面と対面同士を電磁反応面とする電磁効力に複雑な構成である、発電流を受領する導体は円形線状とする導体線をコイル状にする部品に磁石部がこれに誘導反応する構成であった。発明は新原理の方式により反応両部材間の関係を簡単にさせ密着状の分子間接触状態にする事により電磁反応の高効率化を可能とさせた。磁力線に対する板状導体部の電磁反応応力角はサイン角度にして常に９０°の全面垂直反応で従来機では達成出来なかった１００％の電磁反応機能を完了する。図１，４，に示す様にそれを一発電素子単体とするか、その素子体の各側面部を連結させて円環円筒状にし使用する。その機能の最大効果は環状の閉磁気回路状にする事で開放漏洩磁気の散逸を無くす事にある。其の発明電磁気機能構造の使用を特徴とする電磁気応用機及びその発電機体。
【請求項３】
本発明其の１機の発電機は発電の起動原資を機械的動力ではない電流力に求めるため、起動電源部、発電部、負荷部の回路は電気的に直列で導通全路は可逆性となる。従来の発電機は入力である熱源的動力発生部と電気力発生部は電気的に切り離されエネルギーの流れは不可逆となって問題はなかった。発明の発電機の全体電気回路は周回状で可逆性となっている、起動電源部（バッテリー等や商用交流電源）が発電部からの電流発生により過放電の状態となる発明機体の特性のため回路部や電源部は過電流破壊される問題が発生する。本発明は図１０に示す電流路により通称フライホイール的分流回路とする制御方式により負荷部へ過電流分を分流し回路全体の安全を保証する。この発明発電装置と電気回路一式とで電気力を獲得し回路機能部の安全を保証する方式を利用特徴とする電気回路方式。
【請求項４】
本発明発電機其の２機の発電機能部本体はコンデンサー内部の両極板金属導体が発電実質部である。その片極板正極部を静電誘導の反応始動源とさせる為の励起入力として電流力を、対極板部は地中部かそれに類似する電荷存在箇所からの電子流で極板部に負電荷を獲得する、これは両極板部を電気力発生の誘導反応源として、両極板部分を静電誘導させて電荷を蓄積させ生産させる事となる、本発明は所謂両極板金属導体部自身が電荷を自己生産させる方式でもある。この機能が本発明其の２機の基礎的電荷生産の重要原理単体となる。その単体の発電量は入力印加電気量の２倍量とさせるのが本発明の主題である。発明発電機体の全体像はその単体を任意に直列に多数個連結させて静電誘導を各個に充電連続伝播させ発電量を要求に応じて連結個数に応じ増大させる。これらのコンデンサー各個連結部には其の１機の発明素子単体と、電子流の流動を制御する電気部品（ダイオード）類を両者共、直列連結させる事により静電誘導伝播された電荷を極板部に固定させる、この部分も本発明の重要部分である。コンデンサー単体が発電する電気量を基本として多数個その個数倍分の電気量を生産させる。発明はコンデンサー内の極板部を電気の新発生源とさせる事にある。この静電誘導伝播作用による発明電気力獲得方式と連結させた回路上設定の新特殊機能方式等により発電を獲得する事を特徴とする発電機体と周辺装置。
【請求項５】
本発明発電機其の２機の機能では、其の１機と同様発電の為の機械的入力は必要としない電流力のみが入力である。発明其の２機の電力入力箇所は多数個連結させたコンデンサー列の端部正極板の端子のみに入力させる。その列の反対側負極板の端子は地中等へアースされるものとする。連結された中間の多数個の各コンデンサー内の極板間は電気的関係に於いて絶縁関係となっている。その他の連結部箇所は発明が意図した装置により半導通状態としている。自明であるがこの時絶縁間には両極に電圧が掛かっている時、電気力線による強力なクーロン力による対極板からの電子収奪の相互獲得作用が発生している。半導通部では発明が画策した電子流が許へ戻る行動や陽動を防止する重要な電子の逆止弁的作用をさせる。ここでは静電誘導伝播を妨害する作用の絶縁間のキャパシタンス量及び設置機能素子類の累計電気抵抗量合計の全抵抗量を解消させるため、発明は対カウンター的コンダクタンス機能をさせる電気素子に其の１機の発電単体素子の機能設置で解決を求めた。ここでは図に示すその機能部品をダイオードと共に直列に挿入する。この機能をさせる事で唯一電気的に自由に動くことが出来る電子及び電子流を活性操作させて、電子をある極板部から収奪して又他方対極板部へは電子を極板に増積する機能をさせ、強制的に極板間に電圧を発生させ発電を強制させる発明の特殊な電気素子の組み合わせ機構である。この発明の構成機能を基本として発電させることを特徴応用する電力発生機と周辺装置。
【請求項６】
本発明の其の１機、其の２機の発電電力の負何部への出力電気回路は発明機体が特殊な機構であるため全体電気回路も特殊なものになっている。取り出し基本回路図も各機共図１１及び図１５に基本図として示す、両機種回路図は起電力源を基点に磁気力による発電部と静電誘導伝播特殊機能性による発明発電源と、両機共発電原資が地中に無限に存在する電荷源箇所や導体金属原子部から最強出力部分のクーロン力の活用による無形物質的な個所からである、この電子の特殊調達部のため電気出力の電気回路の周回はエンドレス的半永久機関的状態と成っている所謂自己完結形の機体である。この本発明其の１機、其の２機の発電基本作動回路図とその使用による発電を特徴応用とする発電機能の全体的装置。
【請求項７】
其の２機の電気出力の取り出し方法は、発明機体の特性のため充電放電の出力断続がある、出力電圧波形を直線状にする方法ではコンデンサー連列を左右２連として複雑な取り出し電気回路であった、その電気回路を簡単にするため、出力電圧に断続の弊害があるがコンデンサー連列を，１連のみの使用で電気回路を簡単なものにする選択肢もある、発明其の２機の特性上（其の１機の特性も同様であるが）コンデンサー連の各個は印加入力電圧の２倍量の電荷を蓄電する、ここで仮に入力電圧を商用電源の１００Ｖを使用、連結個数を４個とする時４連装置全体の出力電圧は略８００Ｖ、となる、但しこの出力電圧は断続の交流的である、この出力電圧は周波数５０〜６０ヘルツであるからトランスにて任意の電圧の変換は安易となる、このトランスによる変換方法は其の１機の装置の場合も容易であるその場合、機に入力する始動電流を周波数５０〜６０ヘルツかそれ以上の任意の効率の良い周波数に電流を断続させれば電磁誘導変換は安易である。本発明機は其の１、２機共各発電機体各個を直列に連結させ出力電圧を倍増重畳させる発明特性を持っているため低圧から高電圧迄出力電力量や入力電力量を任意に調整選択の自由が可能な機体となっている、発明機体からは各種電力取り出し方法や選択使用も自由自在に出来る、その発電装置の原理方法と出力変換方式を特徴応用とする発電機能の全機体的装置。
【発明の詳細な説明】
【技術分野】
【０００１】  本発明の発電機２機は電気力生産に機械的エネルギーの入力を必要としないで発電する機構である。従来の発電機体の構造内部の形式とは異なる電磁誘導の新原理の発電方式と、クーロン力が発する静電誘導伝播力の反応力を主とした新理論の発電形式による発電機である、その２機種の発電機体内が執る構造構式の異なる２様式の革新技術に関する。
【背景技術】
【０００２】  従来電気力発生の生産方式には化学変化によるイオン反応や光エネルギーの電子反応現象を発電基台とする静的な発電体系を代表とする発電状態の機体少数派と、一方大半は電力生産の大部分を重電力発電でとして実行されている状態である。電磁気学の祖ファラデー師が提唱する原理を参考利用して応用する電磁誘導利用によるその重発電方式は現在では発電機体の軸部を回転駆動させる発電方式として今も主流となってその方式が踏襲されている、その機体では力による応力に対し磁力線力により電流を発生させ又その逆の電磁気反応も原理は成立する事を示してそれを応用して現在多方面に活用されている、この電磁気学フレミング左右則が案内する様にその本質の最大効率は互いに直交する各電磁気力要素のその内の磁気力成分を中心に置き、夫々の磁気反応の仕方により発電電流の発生や力成分を発生してその回転機能する状態が夫々の活用の主軸となっている。【０００３】  そこで発電のための力エネルギーの入力源の問題であるが発電電力の生産量に見合う力エネルギー源を主に燃焼物質量として何処でどのようにして調達するか、電気力は経済社会全般を支えている結果その変換される需要量も莫大量である、調達物質の品質やそのエネルギー含有量とその効率、採取場所その物質の使用上の社会的影響度、価格、燃焼全般後の性質、物質のエネルギー含有効率量等々により利用に厄介な難問題も一部出来する。【０００４】  現在その発電機運転の回転駆動力源であるが、その力の源泉は水力，風力、地熱発電等の場合を除き大半物質容量を燃焼消耗させながら（ただ単に燃やすと云うことである）酸化化学変化反応の熱エネルギーを機械エネルギーに変換して、現在では最高約４０〜５０％の高効率の変換効率で以って電力を得ている。またその熱エネルギーを発生させる物質は石炭、石油、天然ガス、原子力によるもので、何れもワットの蒸気機関時代以来の蒸気動力を主として利用するとする動力源の発想用法をその当時の時点から現在までその域を超えていないで踏襲している。その動力源の使用は今地球規模で資源消耗により終末的なエントロピー増大を招いている、それに拠る自然環境の危機も地球全規模で迫っている。【０００５】  その内特に原子力利用の分野であるが、その核分裂反応による莫大な熱エネルギーの発生の活用は、現在の物理化学上量共に他に比類ない最高の実用熱エネルギー源であるが一旦エネルギーの発生機能構造物や原子炉本体に事故や非常事態が発生する時、その鎮静化への制御や環境破壊回復に伴う年月や莫大な対策費用の発生等はそれがエネルギー問題を解決すべき優秀である熱源であったとしても利益対効果を完全に消滅させ失墜させる。又人体及び生物への影響度もその実態の経験年数が浅く未知数である。最大の問題は核燃料廃棄物、核施設廃炉による解体廃棄物の安全処分方法、処分場所など厄介な問題が解決されず先送りの状態で山積している。この核物質廃棄技術全般は今だ大半未完成といえる。【０００６】  いま電磁気学の応用による発電は実社会への電力供給としての貢献度の範囲や成果は、重電力産業界から急成長の電子機器産業界迄と多岐に渡る範囲で活躍している。それらの電気力を発生させている活動原資は電子である原��の行動をも左右させる振る舞いや最強力の光速度的貫徹力を示すのは電子の電磁気力の発揮が根源にある。又その一方宇宙空間にも活用が通ずる磁力をエネルギーとして出し読ける不思議とも云える磁石の資源、そこでは今電子力と磁石の磁力線力との電磁気反応現場の更なる活用の深層究明はどうかと、電子の運動の更なる有効利用方法はどうか、今その電磁気学基礎部の重要な問題の再点検や解決の解答の方策は準備されているのか、と課題される現状である。それは資源問題解決への同時解決方向でもあり現在英知と技術は出し切っているのかと再度問われ兼ねない現状にあると言える。この現状が電磁気学界の発電力部門が支える産業界基礎部の問題部分である、その他の関連部門も同様今時点での問題であり背景技術全般を更に再度見直す問題分野ともいえる。
【先行技術文献】
【特許文献】
【０００７】
【特許文献１】特開２０１０−２５２５６２号電力発生機公報
【非特許文献】
【０００８】
【非特許文献１】「福島肇  電磁気学のＡＢＣ」講談社
【非特許文献２】「中村弘  磁石のナゾを解く」講談社
【非特許文献３】「室岡義弘  わが輩は電子である」講談社
【非特許文献４】「室岡義弘  電気とはなにか」講談社
【発明の概要】
【発明が解決しようとする課題】
【０００９】  本発明は発電能力を獲得するため右手則案内の発電反応の採用が主題である、本発明は電磁誘導反応を採用するが、発明主題は力成分の入力要素を封印し電流力が磁力線力を介して電流を発生させる新発想の発電機体にする状態機である。現在、家庭生活や経済活動全般の文明社会の維持に於いて多方面分野で電気力は必需である。その電気力には電力を製造、発電する部門とそれを使用する需要部門とで電力の需給量が調整されている。全般では現在発電に必要な燃料供給地や己れの調達コスト、厄介な環境問題、価格などで電力の供給側が多方面で圧迫されている方向にある。そこでは発電量が多量になる程発電のため多量に熱エネルギーを等価的に消費している。【００１０】  現在電力生産に於いて出力エネルギーと等価力量的である製造エネルギー物質の消費の仕方に何らかの工夫方法により、製造エネルギーの減少に努力したい処であるが現在電気力生産は難題の多い部門である。本発明は省エネルギー発電の可能性を求めるため発電時に従来機の力成分の要素を不要とする新技術の発明で力成分の使用の排除に努力する。ここでは電力生産に物質の消耗や消費を必要とせずにエネルギー使用の消費代価が只となる様な超伝導物質が表わす様な革新的な夢の物質技術が本発明の発見により発電が等価的となる技術の出現にて解決する。【００１１】  本発明２機体の夫々の電荷生産確保の原資は電気回路中の機器内（主にコンデンサー）の金属導体板部と地球自体が持つ莫大量にある電荷源から電荷を引き出す静電誘導の方法による電荷発生機能である、もう一方の発明機は電磁気学上電磁誘導で発生する力成分の変換方法の原理解明により発見された電流を重畳電流として生産させる変換方法である。それらの夫々の機能を実現する発電方法の解答は重力場に於ける機械的入力力量と、それに対する電気力線場が発するクーロン力を利用して入力量とする力率の力量差とのその違いが表わす莫大量となる差を本発明は着目して活用とする点である、この部分は最重要である。その変換方法を利用施工とする原理の解説は電磁誘導発見のファラデー師以来電磁気学が完成されていると考えられている各定理法則をここで再度原理の解釈が見落とされている部分がないか否かを再検討する事により、力という物理的に無駄的な要素部分を本発明は解析し原理を改変再解釈し直す勇気の必要性であった。電磁誘導場では力成分は磁力線場を介して電流となる、これが現在の利用方法であり電流力は磁力線場を介して電流とさせ基の電流に重畳させる事が本発明の最重要とする原理の革新部分であるこの究極の濃縮された新原理を電力生産現場の発電方法の核心部に寄与するのが本発明の解答である。【００１２】  そこで電力需要側の最大の利点は電気その物の性質上使用上総てに於いて有益性があり他の動力機関（主に石油原動機及び蒸気原動機等の出力機関）と同出力で比較する時、問題にならない程効率や使用上の優秀性がある。電気は使用時公害や環境汚染発生の問題は総て無い特殊で優秀な性質が多くある、今までそれでの問題発生のあるのを聞かない。その状態は発電側の問題山積とは全く相反する現象である。電気力供給需要のその機能機構の違いが発する問題の根本原因は何なのか、その問題の���求解決は未来への生命生存の明暗を分ける最重要な設問となる課題である。【００１３】  そこで電力需要使用側には今は問題が無いと一応定義する時、供給側から電力として今大きな恩恵を受けているのであるが、現在稼動のその発電機形式が外部からの動力エネルギーを必要とする方式のため、現在電力需要量が大量なるがために、その消費で資源の枯渇問題、発電形式の違いによる環境問題発生等、使用燃料の種類によっても生ずる放射能管理の完全管理化、安全保安警備等による莫大なコストの発生と施設の大型化大規模化、発電所設置場所の制限等それ程の苦労と規模と犠牲によって達する、今発電する為それ程の犠牲は必要なのか、発電形式や方法が未来を担う新理論や新技術によって新次元的な発電方法による機体の出現が待たれるところである。【００１４】  現在電気エネルギーの移動運搬は他のエネルギー物質の運搬に比べて運搬コスト等はあらゆる面で超が付くほど超安価で安全軽快である、導電線を１本から複数本の敷設で遠距離を良質なエネルギーを完送させる。当たり前に見られているが再認識評価する案件は十分在り過ぎるほど在る事実である、冷静に振り返って見ればである。一例を述べたが今一般科学や万事の現象に既成事実の上で安易の惰性に満腹し思考が埋没しているのではないか。ここ電磁気学応用実用の現場として既成概念の打破や電磁気学原理の再理解や方法の努力による発明が今ここの必要課題となる。【００１５】  電力運搬は他の運搬手段に比べ安価で軽便で敷設可能であれば地形の条件など限定されない優秀性と運搬速度である、細い導電線数本で何万馬力での動力を瞬時に獲得可能である驚くべき再考すべし現象である、導電線路は略固定で到着供給地も辺境地、砂漠地など利用頻度の経済性のため限定される。他にその例として海上の船舶、陸上移動運搬機などの動力源として云える。片や現在の辺境地など限定された地域での使用も導電線が敷設不可ならば供給されていない。それらの地域での電力源は長期の保持維持継続性が望めない資源消耗浪費型（乾電池等一次電池）の結局使用エネルギーの対価が高価につく電力源しか用意されない。そのような地域で携帯型や固定式の発電機で発電の為の動力源を略必要としない未来を期する発電機が必要である、その様な機体の開発技術が待たれている。【００１６】  元来機械類の駆動の動力源に於いて、優秀性があり高出力で高効率が得られると云われる結果、ワットの蒸気機関時代の蒸気力による動力源を今も使用の主流としている。それはそれで高効率で良いのであるがそれを前提とする前駆部分の蒸気生産に問題がある。今見るに蒸気生産は物質を燃焼させて得るものが大半である。結果は現有物質の物理的化学的な変態や変形による形の破壊と消滅に繋がる、（其の元の自然状態にする回復には最低数千年から数万年はかかると云われている）、その使用には各々の物質が内在する火力エネルギーの含有量も問題となる、極端な悪い例では、現在の発電量維持のため木材を火力源とした時どうなるか。自明であるたちまち短期間で地球上の森林は消滅する。一例であったが万事それに近い事が今迄行はれ現在も行なはれている。現在は産業目的の達成の為、電気エネルギーの生産方法には思考の惰性や思い違い��よる遠い回り道やエネルギー物質の浪費垂れ流しで無駄を大量生産している。人類の英知を期待する覚醒の時代である。【００１７】  従来から発電機の発電駆動入力に大半ニュートン力学上の力成分を大部分使用している、本発明は従来からこの部分の莫大とも云えるエネルギーの無駄な使用法を問題とする。発明が主題とする電気力が表すクーロン力はニュートン力学上の重力場での力との差を約９億倍とする。ここで短絡的に一概に云えないが、その９億分１の電気力の力の差の優秀さを従来の駆動力に変えて使用する事が出来ないかと素朴な疑問がここに出来する、本発明の発明機体発表の重要な原点部である。【００１８】  物理学及び自然科学一般の究極の定義はエネルギー量が常に最小状態にと必然的に求める事象である。簡単な例では高所にある位置エネルギーを持つ物体は常にこれ以上落ちない安定な場所に落ち着き内部の騒乱分子であるエネルギーを放出してその指図からの束縛を逃れ、素の状態になれる様にと無重力になれる状態を常時望んでいる。説明は擬人化しているがそれが万物が求める究極の安息状態である。自然の摂理は好んで余計な事は一切しない最短の距離を望む、電気現象はそれの最たるものである、この簡単な再認識こそが之からの研究に於いて余計なことが多くある現在の負の事象を取り除く一方策を電磁気学の部門で以って本発明は探求する。偉大なる先師達が見過ごした落穂的な電気現象を再度日に当てる発明の開陳である、将来その無駄排除の研究に専念しなければ為らない。これが次世代へ現代人が申し送る負の遺産を大量生産したせめてもの懺悔の課題としたい。
【課題を解決するための手段】
【００１９】  本発明の前項までの課題を解決可能とするべき発明発電機の機能形式は、電磁気学上の電磁誘導現象の新原理を開発の方式とする発電機とする其の１機と、静電誘導伝播力現象を開発発電基盤とした発電機其の２機とである。その２機種は全く発電形式の異なる新原理の機能と機構を持つ２機種である。本発明は其の２機の発電構成全体の機能を完成させるため、其の１機の発明機能部である新発電素子部の一部を其の２機の発電回路上の一部に設計の構成機能達成上必要とするため当発明は異機種２機の同時発表の発明事項の掲載となる。ここから先ず従来の課題を解決すべき其の１機の発明発電機の機能構造と詳細部を次項から説明する。【００２０】  電流力や力成分を発生させる一般電磁誘導活用機の現在ある現象は電流力、磁力線力、力の３者が関係するフレミング左右手則の定理が案内するところ左手則が電動機能成分、右手則が電流力成分の発生を案内する。ここの左手則では電流力が磁力線力を介してロ一レンツ力により力成分を発生させて、右手則に於ける力作用の入力は磁力線力を介する反応のレンツ力作用により電流を発生させる、所謂電流力と力とのキックアップ現象である。ここで注目すべきはこの３者の定理の座標軸に磁力線力の存在、所謂磁石が要となっている事である。その存在が無ければ定理の座標軸が案内する電磁気反応は一切成立しない。磁力線の存在がこの定理では最重要である、当たり前の話であるが力成分の原理での解析方法も上記に述べたが本発明ではその部位の究極の真理の探究によっての発見が本発明成果の第一の本命となった。まだこの電磁気原理の更なる組み合わせ方の発電方法や力成分発生方法もあるが今はこの本命の当発明方法の利用に留め置く。今迄３者の原理を再検討し再確認評価されるべき物理学上に於いて詳しく思考する必要性の責任があったがこの定理の暗黙の完璧さのためか、その原理の再評価の研鑽を現在まで看過され続けられていた。【００２１】  本発明はこの左右手則が支配する座標軸のベクトルに於いて、図示的に電流方向成分、磁力線方向成分を水平面上に一応方向面を限定し固定状態にあると考える時。唯一力成分のみの座標軸が他の２者がなしているベクトルの水平面を基点として上下に分力して電磁誘導現象を案内は表している。このベクトル作用の現象は本発明の重要な部分であって、ここで力成分の発生力を座標軸基点部に固定封止した場合どうなるか、とする時、この状態において電流成分方向に電流を規定方向に流し続けたとする時、この座標軸上の電磁誘導反応はどうなるか、電流力は磁力線力を介してローレンツ力を発生する力の成分であるから、ここでの状態は力成分は基点部に固定封じられているのであるから瞬時その固定されている状態の力成分のキックバック反力が磁力線力とに関係しているレンツ力を介して新たな電流の発生を見る事となり、元の電流量に電流成分が重畳する現象が発生する関係となる。ここでの発明機の構造は磁力線と対する電流導体部の部品間が位置固定関係にあるので、この状態下で発電電流を生産する場合、従来機のような回転成分により摺動部面を作る事による逆起電力成分は発生しない最大のメリットがあるのが特徴としている。【００２２】  これは座標軸系の原理���案内を変則させて活用した本発明の使用上での分析に於いて、電流を流す事により電流力を生み出した事になる。フレミング右手則はレンツ力により電流発生を案内したものであったが、前項の説明では本発明の構成により力ベクトル成分が固定封止されて力の行程の出入りは無かった事であった。ここで電流が入力がされている状態での解析は磁力線力のキックバック力を介して得たアップ電流力が更に電流を生産したことになる。所謂発電行為である、一般電気回路上では電磁気学上コンダクタンス効果と云われているものである。但し本発明のここでは力作用の力線的行程なくしでの電流発生である、動的行程も一切存在しない注目すべき現象である、この事を重ねて言う。【００２３】  従来からの発電現象はファラデーの電磁誘導発見以来その機能を初期では発電機として活用する前駆時代があった。偶然の好機で発電機が電動機機能をも兼ねることが発見された。動力源が発見された電気工業界の世紀的黎明と言える。ここでの発見で電磁気を利用する機能機として電動機が生まれ、発電電力を得たい時はこの機体の軸を駆動して電動機軸を等価的に回転させれば良いと瞬間的に合点された、フレミング左右手則原理の大発見である。その当時の潮流は資源浪費型の動力産業革命、発電機の駆動力に当時のワットの蒸気機関や蒸気原動機が大馬力の発生を可能とする為最適にと利用された、公害などの弊害は当時の勢いに封殺された。それ以来その駆動形式や動力供給方式は変わらず電動機軸を回転駆動させる方式が現在まで読むいている、その間に発電機本体の機能向上の技術がなされたがその形式が現在まで継続されている。電動機能がある事を発見された時以来他の方法の在る所の模索や思考が以後停止されたと思はれる。電磁気学の黎明期無理のないことであったが電磁気発電に他の方法のある事の思考が現代まで持ち越された、この思考向上への怠慢は莫大な資源損失の出来となる。【００２４】  前項まで発電する為［００１９］項から示した電磁気反応状態を参考とする発明基本原理の前提として、本発明の発電機体で以って電力新発生素子を製作する。従来機の様な回転入力の必要が無いので発明本体装置の構造は超簡単なものとなる図１，２，３，４，５，６，案内のように長手方向の磁石と、その長さ幅をいくらか上回る導体板、そこには磁石部と双方の位置及び電磁推力を受け、それを受け止め固定する為の細工を施した電流導体板の２点の部品だけで発電部が構成される、それら２点の部品を側面同士密着させて発電素子の１セルとして図１，２，３，４に示す様に組み立てる、このセル部分の側面同士を多数個連結させる、機体の全体構成は環状形状の円筒樽状（バレル）となる。【００２５】  発電体を環状構造にする事により磁石面の露出による磁力線放出開口部を無くし磁力線力を閉磁気回路状にする事により磁気力を閉じ込め磁気効率化の温存を計ると共に環状機体構造外への磁力線漏洩を少なくして導体板との磁気反応効率の高効率化と磁気障害の減少を図る。機体の構造も円形状にする事により応力分散され堅固となる占有体積量も最小となる。機体の反応熱も構造形状上放熱面が多く取れ放熱も安易になりファン設置と共に放熱に余裕がある、これで発電部本体は概略完成であ���。この機体を単体として電力の使用条件に合わせ単体から複数個を直列にする選択肢もある、導体板の端部を正極とする時その他端部は負極となる。次項から構成部品の機能等と作用等詳細説明をする。【００２６】  先ず発電機能の中核である磁石に付いてである。現在磁石には高価であるが強力な磁力線を発する希土類系磁石の採用には本発明は興味大である。本発明の機構上磁石形状の加工工作上の安易性、磁性体価格、耐温度特性、ここが本発明機体の最重要機構課題であるが磁性体自身の絶縁性能である、高抵抗磁性体採用の必要性である。この磁性体を使用する事により機体の構成に絶縁物使用の必要性が無くなり更に細部構造が簡単になり磁気反応が更に蜜になる、磁気応力の強大な反応推力即ち従来機の回転力成分を直に受け止める構造方式が最大のメリットとなる。ここでは希土類磁石の磁気力には劣るが（約数十倍の差）この部分に本発明の機構の特殊性が示す絶縁物不要の構造が示す優秀性が磁気力の差を補填するとして、あらゆる面の検討で安価なフエライト磁石を選択する。又本発明の機体に希土類磁石を採用するとする時、用途により超小型高出力機の発電機体となる。【００２７】  フエライト磁石の絶縁性能の採用に本発明の機体にどの様な利点があるか述べる。図３  に示すように導電体枠体と磁石部分が密接に組み込まれる構造上磁石体との間に元来必  要であった絶縁物質の介在を不要とする為である。その結果両物体を極端に云えば分子  間接触状態に置くことにする事にある。それにより磁気反応間距離が最極微になり、こ  こにクーロン力原理の反応距離間が発する問題部分は解決する、機械的に等価換算され  る推力反応も更に高効率濃密に反応する。【００２８】  発電部の導電体型枠板をここからは単に導体板と言う事とする、この導体板の両端はプラス、マイナスの電圧極となる、中心部の略全域は磁気磁力線の領域が占める反応部であり電気力発生部ともなる。ここで導体板は板状であるので磁気による渦電流の発生がある、それに伴いジュール熱が発生し機体や磁石の磁気力に悪影響を及ぼす、渦電流やジュール熱発生を防止する為、導体板幅側面部に図５，６，に示す様にスリット切込みを設ける。これらの説明構成部品の組み立てで以って本発明が其の１機とする発電部本体及び発電機本体は略完成する。尚この発明機体はフレミング則案内の原理を活用する関係上単個の出力段は入力電気量の２倍量を出力する、又この定理の原理遂行上この機体では力成分を相殺させた為電流量は２倍量になった、結果この図７で示したベクトル図では磁気の必要量も２倍量を要求している、この部分は本発明の最大の重要部であり磁力線力が電流量を生み出した正に其の証明現場である磁気力がその儘電流力に変態したことになった。ここで発明はその発明機体を直列に３連結とする、この場合最終段出力は８倍量となる、各個の磁力線力も通過電流に換算する所の２倍量必要となる、各連結段の発電機体の設置磁気容量は各出力段の電流量に見合って強化増量し余裕を持たせ決して磁気不足させてはならない。【００２９】  其の２機の発電形式は静電誘導伝播方式を発電原資とする発電機である。其の１機とは全く発電の電磁気学上の基礎原理は異なる。であるがこの発電機体の���構や形式も発電の為に外部からの機械的力エネルギーの入力は必要としないで発電する発電機方式である。但し其の１機の場合でも同様であるが発電電力を倍増し発電する特性のため、種火とも云える機械力とはしない電気力を用い起動力源として入力する必要の機構である。其の１、其の２、各機共入力された電気量を本発明の設計により数倍かそれ以上の任意倍数に生産することが自由に出来るとする。本発明は機械力的入力を否定してその成分力量に見合うエネルギーを電流力でと入力する事を前項まで述べ、それらの機能を説明したが、発電原資を入力方式に優秀な電気力に転化する事が本発明が主題とする為である。それにより其の１機、其の２機の機体は発電時外部に機械的入力の必要性を示さない、本発明はその応援の必要ない静態状態で発電継続を維持する機体となる。【００３０】  其の２機の発電部本体は一般流通市販のコンデンサーの採用である。従来コンデンサーの使用目的は電気を溜める唯一の電気機器として利用されていた事であった。その作用は一般電気機器の複雑な電気回路の末端部迄コンデンサーが設置される事により機能は設置部周辺の電気素子に規定電圧を保障して機器全体を遅滞無く完全に作動させる機能作用である。これが略現在承知されて使用目的の主流部品ともなっている本発明はその器機内部の電極板構造の蓄電機能と共に極板導体部本体が持つ発電能力の存在を新たに発見した。【００３１】  その両極板は電気的構造機能上完全充電時、電気力線力所謂クーロン力により強力な電気的緊張状態にある。その状態のままに於いて両極に外部より異符号の電荷源を連結したとしても一切内部電荷に電圧の変動はない、この部分の電気的作用状態の確認と解析は重要である。これはクーロン力が如何に強大かの証明ともなる。ここに於いて両極を短絡（ショート）する時一瞬に貯留されていた電荷は放電消滅する、この現象の一連の状態も重要である、その解析は極板間隔に働くクーロン力の電気力線力が強力な作用があると云えども極板導体材内部の金属原子の原子核と電子間に作用しているクーロン力が極板間に働くクーロン力よりも勝る事を現す。極板間隔が原子間の間隔に比べ莫大の長さであるのがクーロン力がその莫大な比率分弱くなっている状態であるからである。距離の２乗に反応比例しクーロン力が減衰する定理の証明部分とも云える。短絡時の電子が表わす電流力が何に物の障害力よりも勝る強大である事の重要な証明でもある。クーロン力の電気力線力を極板間に作用させる、導体内の原子間にも作用させる事を発明は主題とした、其の２機の発電機その機能細部を回路上の要所に適用させるのが本発明の重要機能技術である。【００３２】  其の２機の電力の発生原理の機能を説明する。ここに電解コンデンサーがあるとする、プラス極には今プラスの規定電荷が入力されて極部が満杯状態であると考える。静電気学教本のライデン瓶を教材とした静電気現象の説明にあるように、今ここでマイナス極が地中へ導体線で以ってアースされた瞬間はどうなるかとする、この時マイナス極板にはプラス極板の電荷量に見合った量だけマイナス電荷電子が極板間の電気クーロン力の引力作用により通常電荷を表わさない地中部かそれに類似した電荷源より電荷とした���子が充電される。それで両極板には電気が満杯溜まった事になる。但しこの説明の状態で重要な事は自明であるが自由な電子のみが電気装置の金属導体材内を動き回れられる事であって重要な仕事をしている事である。電子の所属していた原子核部は物体位置を決して移動できない。即ち地中部等からコンデンサーのもう一つ機能により自由電子がクーロン力の電気力線作用により極板に電子を強制的に誘引移動蓄積させた事である。【００３３】  前項に述べた其の２機の発電部の作用原理は静電気学で説明される同電荷同士の反発と異電荷間の引き合いの原理の単純であるが強力な応用である。この作用の応用は［００３０］項に表わしたコンデンサーの使用方法の単に電何の蓄電器とする作用ではない。本発明はコンデンサー内部の金属極板内の金属原子が持つ電荷を強力なクーロン力の引力を利用して何も無いと思われる所の金属極板部材内より電子電荷を新たに作り出させ生成させる機能を実現させる用法の発明である。従来の使われ方とは全く異な電気的性質の働きと機能を利用するものである。それともう一つの発明は内部極板が持つ金属原子の莫大な電荷量の有効利用である。この極板部分も地中部と同じ何も無いとされる電荷が存在している所であるが、この部位の電荷量を引き出す方法と回路上設置の新発明素子機能の用法とで其の２機の発電量生産確保の電荷資源部となる。コンデンサーは一つの構造の内で唯一違った二つ以上の電気的機能が出来る電気機器であると云える本発明が発見した事象である。【００３４】  以上の説明は１，極板間に電位差を作り出す事により強力なクーロン力の電気線力で極板に電荷を吸着させ固定させる機能。２，コンデンサーのマイナス極が地中部等と極板部の金属導体内の電荷源から自由電子を吸い上げ充電を完了させる、それを唯一の発電原資とする静電誘導作用。３，極板金属自体が持っている莫大量の埋蔵電荷を覚醒させ作用させて取得する方法と、その伝播方式（ここでは電子を吸い上げ吸い取られた導体板部は電荷を表わさない中立から一転正電荷位や負電荷位をあらわす事となる）、等代表３点の電気現象が其の２機発電部が電荷を生成する発電機能の原資である。【００３５】  其の２機の発電の中核となる３点の発電素子構造の重要な機能は、単板内の極板が発電機能を含み複数の電気機能を包含して持つコンデンサー内の装置その物の特殊性である。このコンデンサーを単個として発電素子として活用、発電電力にして取り出す時、単個でもよいが複数個以上のコンデンサーを直列に連結する。連結する個数に制限は無いが、その連結部の両端電極部から発電出力を取り出す、連結は並列か，直列方法かの方法により電力取得量の設計上その使用個数や電圧等の条件は決まる。本発明の其の２機発電機体は効率の向上と機能構造の効率性のため直列連結を選択する事が主となる。そこで発電出力装置の全体配置構成はコンデンサーの性質が充電放電の作動機能を必要とする性質のため連結連が左右の２列が必要となる。片側連が充電している時もう一方の連は放電状態にする為である。この構式により出力電圧の脈動幅や間欠部は無くなり電圧電流は直線（リニア）状となる。【００３６】  ここでコンデンサーの連結個数を直列４個と仮定して考え��。左右で合計８個であるが各列は同じ機能をするので、ここでは１列４個部分を発電装置の基礎部分として発電作用の機能を図１３，１４で説明する。図１６では列部右端の電解コンデンサーの右端をプラス極として設定し電気回路図を決める。その極に正電荷が起動電源部より印加入力される事になる。本発明では発明の基本が電子の電子流動が発電の主題となるので、あえて回路図の左側を電子の入力側としてその様に表記する。左端部のコンデンサーの左端電極はマイナス負極となる、その極には発明が発掘した地中電荷源又は起動電源負極部その他の等価源から負電荷即ち電子が入力される。これが其の２機の発電部本体の構造の基本構成概要である、この機体にも発電の為の、其の１機と同様外部からの機械的入力の存在はない。【００３７】  その各コンデンサーの極部の異極間の連結部に図１４、１０Ａに示す様にダイオードと其の１機の発電素子を直列に順方向に接続させる。この２電気素子を直列接続設置させるのが本発明の最重要な発明部分である。その２素子の回路上の働きは、夫々の電荷源が中性の電荷状態を表わしているが夫々には大量に存在する隠匿された電荷がある事は既に述べた、その重要な発明部分は電荷源場所から電荷を選別取得したり各極板上に電荷を吸着固定重畳させたり奪取する役目をする。又この発明の主となるダイオードの機能は電子流の流動と電子の回路内での陽動振動をも抑止して電子の持つ電荷量を発明が求める定位置に固定させ逆流を決して起させない役目をする。また其の１機の発明発電素子とダイオードの二人三脚で以ってその発電素子が回路上の各所の抵抗の為弱った電子流をポンプアップさせる所謂コンダクタンスの効果をさせる事で各装置の部品にメリハリを付け更に電子流を加速させる作用で極板部に電子電荷を継続充填固定させる。【００３８】  ここで発電原資のもう一つの電荷源の説明であるが、本発明は既に述べたコンデンサーの極板金属導体が持つ莫大量とも云える電子量の利用を第一に着目した。極板は電気を溜める目的で使用されているのであるから活用目的は異なるが本発明が発電原資とする使用条件とは構造効果は合致する。これも今迄使われていなかったコンデンサーの隠れた機能を本発明が発見した重要機能部分の一つである。そして二つ目の発明部分は普段は電荷を示さなかったコンデンサー内の金属極板を新しく電気力により発電生産の機能具とするプラス極性、マイナス極性とに強制的に分離させる方法の機能技術である。【００３９】  静電気学の一部では金属導体板をプラス極性、正電位にさせるには、その導体板の金属内原子内の唯一自由に動き回れる電子を抜き取れば達成される。マイナス極性の負電位にさせるには電位を示していない極板に先ほど抜き取った電子か他から電子を取り込み上乗せさせればよい、これらの静電誘導作用を発明は基本駆動原理とする。静電気学の基礎であり発明の重要機能部分なので噛み砕き詳しくこれから解説する。その分離方法は図１６に示す先ず１６Ｌに起動電源からプラス電位を入力させて金属極板電子を起動電源内に強制的に奪って取り込み１６Ｌ部をプラス極性にする。その時コンデンサー内で対向している１６Ｍ部極板は１６Ｌ部からの強烈な電気力線力即ちクーロン力の電��要求圧力を受ける。（これはコンデンサー内を安定させるため、又エネルギー積を最小にさせて安定するための一般物質が求めるニュートン力学上の物理現象なのであるが）この時対手の暴力から安定して落ち着くため１６Ｍ部はどうにかしてマイナス電位に成りたくて必死の努力をする。【００４０】  １６Ｍ部はこのままの状態では金属極板内は対抗面にマイナス電位を誘電分極して対向面上にはマイナスの電位を表現するが極板全体としては外部内部には共に全く電荷を示さない。原子間に於けるクーロン力の結合力は物理界最強であるため極板間に発生している電気力線クーロン力が如何に強力と言えども前に説明したが原子間とではそこでの力の差は両者の電磁的作用間隔が莫大量であるため引力力量では太刀打ちできない状態なので電子は飛び出せない状態である、これを絶縁状態であると言う。そこで何処からか電子が来てくれないか、他所から奪ってでも電子を極板上に貼り付かせなければならないと１６Ｍ部は頑張ることとなる。【００４１】  その時１６Ｍ部を導線にて地中部へアースするとする、前に述べたように一瞬にて１６Ｍ部極板に電子を上乗せ貼り付かせる事が出来る、この状態図が図１３，で即充電完了となる。又本発明がこの状態と同意義に組み合わされた状態に於いて発見したもう一つの発明方法であるが１６Ｍ部極板からコンデンサー１６Ｎ部の＋極板に導通線で以って連結するとする。その時点の瞬間ではまだ１６Ｎ部のコンデンサー内では両極板間にクーロン力や電気力線は発生していない状態である、その時点で導線にて連結されている結果１６Ｎ部の＋極板金属導体内と１６Ｍ部の金属導体は同電位同質体状態となっている、その瞬間の瞬間後その結果は明白１６Ｍ部に１６Ｎ部の＋極板の電子のみが唯一１６Ｌ部が要求していた分だけの、誘電分極要求量分の電子量が重乗される、図１６に示す１６Ｍ部は１６Ｎ部コンデンサーの所属する＋極板から電子を奪い希求通りの負極性となり、充電完了となるコンデンサー内の両極板は要求量が達成され安定する。【００４２】  この状態の儘では１６Ｍと１６Ｎ部の＋極板は共に金属導体で連結されているため１６Ｏ部のコンデンサー内は電子の流動性のため電気的に充電完了の確定は不安定となっている。何らかの状態や影響で１６Ｎ部から電子の返還の要求があるかも知れない。ここからが本発明の発明部分であるがこの時点で１６Ｎ部へ電子を返さなければ良い。方法は簡単である、１６Ｍから１６Ｎ部の＋極板にダイオードを電気的順方向に接続すればよい、ここで返還要求圧力があっても一切１６Ｍ部に重畳堆積している１６Ｎ部の＋極板からの借りていた電子は元の棲家には帰れない。これで１６Ｍ部の負電荷位は１６Ｏ部の要求通り安定に充電が確定完了し電気が溜まった状態となった。【００４３】  これで連結２個目部のコンデンサーの１６Ｎ部の＋極板は電子が居ない状態となる。１６Ｎ部の＋極板は極板原子から電子が抜けた分だけ陽性の原子核状態となり正電荷位を表わす電極となる、この瞬間の連続する現象はコンデンサー間に静電誘導が伝播された事と同意義となる。理想的には１６Ｎ部が１６Ｏ部と同電荷位となるのが望ましいのであるが、あとは一応連結個の最終個まで静電誘導を連鎖伝播させる。図１６のここでは４個目部分のコンデンサーのマイナス極板が地中部かそれに順じたアース部か起動電源部かそれぞれへ接続される、電子流が充電されて完了するまで連結１個目部のコンデンサーから連結個最終のコンデンサーまで強烈なクーロン力の電気力線力により静電誘導が伝播されコンデンサー全個に電荷が完全に蓄積され確定された状態となる。【００４４】  始めに種火的電荷の入力のみで設置個数全部のコンデンサーに自動的に静電誘導が伝播され全極板が電荷満杯となる仕掛けである、但し此処での作動は起動動力無しでである。一見不思議な現象である仮に連結個数が１００個であるとしても可能である。その発電の電気的始動の動力源は何か、前から詳しく述べたがその原動力は電気力線クーロン力である、クーロン力にも重力場を含む３種類かそれ以上の作用力を発揮する物理的な場所がある、前に詳しく述べたが、そのクーロン力の力量の発揮効果は各物理的反応箇所により大きく異なる、そこでの作用間隔と間隙の差がクーロン力量差となり反応作用場所の状態でクーロン力量及び現象を異にする、この電気クーロン力現象により瞬時に連結個数に関係なく電荷生産が静電誘導伝播により実現されるしかも反応は光速である。【００４５】  ここで前項までの素晴しき機構と機能の一部を修正する問題がある。前項の発電機構の機能上の説明に於いて全連結部の各構成機材が持つ電気抵抗の量の問題を全体機能の説明を優先させるため一応考えないできた。其の２機での発電機体の構成機材は電気抵抗因子を多く含む機材で構成されている。それらの因子があるがためにこの発電機体の機能が成立している部分もあるのであるが、この抵抗成分の回路上の放置は静電誘導伝播方式の本発明の発電機能を完全達成する上問題となる主要素である。【００４６】  其の２機の作動で抵抗成分は大別して二点程度ある。一点は発電部本体が持つ容量抵抗の容量キャパシタンスである。これは本発明の機能上必要不可欠なものである。二点目は電子の逆流を止め電子の定位置に定着させ確保点を決める本発明の最重要作用をする部品のダイオードである。この素子が持つ回路上の作動開始電圧の問題、所謂導通開始時の電圧敷居値の高さの問題である。一素子あたり０．７Ｖの起動敷居値量が回路上の電圧電流量を食ってしまう。其の２機では機能の達成上そのダイオード素子を多数個使用してる、しかも直列状態でである。その結果規定作動電圧を設置個数分が食われ電圧降下も甚だしい。それらを放置すれば其の２機の発電作動は不能となる。【００４７】  その抵抗量成分や電圧降下分を回路上に於いて、その抵抗量を補填相殺させる必要がある。発明は、抵抗に抗する機能のある素子、それを挿入させて安定化を図る構式を其の１機の発明発電素子の挿入で解決した、図１０，１１，１２に示す。それは［０００１］で発表した必要上用いなければならない本発明の複合発明機体としての合体である。其の１機での機能は電流の入力を起動原資とする事は、其の１機の機能説明部分で詳しく述べた。また其の働きは回路上で電流の流れ易さ、則起電力成分と同意義となる機能でありコンダクタンス効果を兼ねる重要な働きもする。この働きの効果で以って懸案であった回路上の総抵抗量が解消され問題も解決す���。この回路上のコンダクタンス機能の起動作動も外部入力を必要としない、コンデンサー間の連結回路上の電流力が入力源原資である。【００４８】  これで其の１機、其の２機の発電機部本体は概ね完成である。其の１機は原理も簡単機構も簡単である、本発明により其の１機の機構を簡単なものにしたが内部では力成分を相殺し尚内部応力を封止した為、力成分の応力が存在するが、その総合結果のため其の１機は簡単な機体として誕生した。其の２機の発電機体は始めから外部入力を必要としないが、取り出し電気回路は少々複雑となる。両機は電気原理的に全く別物であるが電子の働きが何れも中心として介在している、本発明の主題として電子を最短距離にて行動反応させた、あらゆる電子の回り道を省く安全、省エネルギー発電とした発明発電機の２機である。本発明機は起動バッテリーその他の起動電力源を含め負荷部に出力を提供しつつ何も無い処から電気を作り出す永久機関的なエンドレス状を呈するが、その作動原資は磁石が出す動力源を必要としない磁力と、重力場のクーロン力でない電磁場で作用する電気クーロン力の活用による何れもの動力源使用料代価は只である。ここに発明機装置内の起動電源部に充電電流を還元する時、全発明機装置内は起動電源部を介してエンドレス状となる、但し発明が発見した電荷源が夫々の電気回路上各所に設置無形エネルギーが抽入されるため一般に言われる永久機関ではない。
【発明の効果】
【００４９】  本発明の発電機は電力生産の運転に於いて運転上燃焼の熱エネルギーを略必要としないので自然環境保全が出来る、発電が原因の将来に向けエントロピーの増大が抑止される。【００５０】  機体装置が軽量簡単持ち運び自由、設置場所自由、起動バッテリー一個の携帯で作動可能、全天候型作動可能、使用時間無制限、メインテナンス半永久必要無し、公害物質発生率０に近い、機種により地中部にアース接続が必用、等電力効果だけでも大革命である。
【図面の簡単な説明】
【００５１】
【図１】  本発明の其の１機発電本体部の全体斜視図である
【図２】  本発明の其の１機発電本体部の正面断面図である
【図３】  本発明の其の１機本体部の一部正面断面詳細図である
【図４】  本発明の其の１機本体部発電素子単体機としての正面断面詳細図である
【図５】  其の１機本体部機能部の発電板とその断面模式図である
【図６】  其の１機本体機能部の発電板渦電流防止スリットカット模式図である
【図７】  フレミング左右手則３要素ベクトル図を示す（力成分のベクトルに注目）
【図８】  其の１機搭載の入力電流量調整電気抵抗器（スイッチ  Ｓ１）を示す
【図９】  其の１機搭載の発電量調整選択器（スイッチ  Ｓ２）を示す
【図１０】  其の１機搭載過電流防止利用のフライホイール回路参考模式図を示す
【図１１】  本発明の其の１機発電装置全体基本電気回路の模式図である
【図１２】  本発明の其の１機発電装置に交流電源入力時の基本電気回路模式図である
【図１３】  本発明の其の２機発電部の基本電気回路模式図である
【図１４】  本発明の其の２機直流交流入力選択基本電気回路模式図である
【図１５】  本発明の其の２機交流入力のみの選択基本電気回路模式図である
【図１６】  本発明の其の２機交流直流入力２連列機発電作動基本電気回路図である
【発明を実施するための形態】
【００５２】  其の１機の発電機能は電磁誘導によるものであるが従来機のような発電のため磁力線を切る機械的回転入力は必要ないことや新原理に依る発電機能や方式は既にのべた。発明は磁力線を発する磁石と反応し垂直交叉する発電部の電流路を構成する導体部と、その関係を分子間的に蜜にする事であった。その磁力線を発する磁石部の形状とそれに密着する導体板部の面積形状とは自ずと接触面は発明の意図で同面積同形状とさせる。此の部分の対面積構式は本発明の核心の最重要部分である。この意図の構成は従来機にない電磁気反応量を接触距離と被爆磁力線と共に最大効率にする事にあった、この機能の構成で機能上電磁気学上の従来の物理的無駄の要素はほぼ解消される、各機能部の設計には自由度はあるが一応の製作の基本目安図を図１，２，３，に示す。
【００５３】  この電磁気接触面の構式に於いて発電行為中の電磁誘導の作用時、両者の接触面では互いに垂直方向面にローレンツ力の発生による剪断応力の変形作用が発生する、この変形量やその剪断推力を完全に受け止め両者を固定化状にする構式を本導体板に加工成型する工作を施す、この部分の加工基本詳細図を図２，３，に示す。この部分を固定化する事が従来の定理の真相原理を解析改良した本発明の考案の最重要結実部である。又この部分の渦電流その他の影響でジュール熱が発生する、その放熱は主に図５，６，に示す導体板からの熱放出とする、導体板の幅、長軸両方向を磁石面部より少量拡幅して放熱効果向上部分とする。使用する磁石の性質により熱によるキュリー点温度により保磁力低下方向に変動する特性がある、キュリー点温度以下で作動する様機体放熱設計に注意する必要である。
【００５４】  この固定された磁石部と導体板とを一発電機能素子として図１，２，に示すバレル（樽状）として発電素子を組み上げる、それを設計の必要に応じ一個から複数多数個直列に使用し発電量を各々調整する自由度も得られる、多数個使用の場合は図１，２，３，に示すように、円環状に小電力から大電力の使用条件に応じ構造安全係数の範囲内で図８，９，１１，に示す電気回路図の選択と共に組上げる基本構造とする、磁気を閉磁気回路にする事により厄介な磁気漏洩も少なく磁気エネルギーを完全に有効活用できる、従来機に対し高効率であるため磁石材料の使用量も少量に出来る、使用する磁石の種類は自由で本発明はそれの使用条件には拘束しない。
【００５５】  発電出力部の電気回路系統に於いて出力増強の必要性ある場合、その任意の調整は前記円環発電本体部を単体として直列に多数段連結する事により解決される。又起電力電源部の電圧調整で以って基底電圧を変化させる事によりそれの累畳電流として調整できる、これは其の１機の入力の場合該当する、自明であるが発電機単体は常に入力電流の２倍量を出力する、結果通常の乾電池の直列接続の場合とは異なり所謂積算と加算の関係となる。本発明の発電機の起動は電流力のみであるので、其の１機の入力の場合起電力部、発電部、負何部は電気的に可逆の電流路となる、逆流による起電力部の装置の破壊防止保護のための電気回路基本図を図１０，１１，に示す、大電流使用部の負何部と起電力部回路とを分流回路とする所謂フライホイール回路の設定により分離保護する基本電気回路図をも図に示す。
【００５６】  其の２機の発電形式は発電起動入力が電流力入力であるとする以外は、其の１機とは全く別の発電原理の構造である。発電部は発電する能力と蓄電できる機能が静的で唯一、二つの機能を持っているコンデンサーにあると前に述べた。極板自体が持つ金属原子量が本発明装置の仕掛け仕組みにより静電誘導を強制的に伝播させられ正、負の電荷にコンデンサー極板部が強制分離定着させられた。その機能により各極板は電位差を持つ物になった。発明の発電方法の原理は何れも電子の存在箇所の位置を確保確定させて、それらの電子にクーロン力の夫々の場所での力を最短距離に反応させて電子の流れを効率よく起させる事によって発電機製作構造を本発明により発電を依り簡単なものにとする事にある。
【００５７】  其の２機は発電部発電本体をコンデンサーが代行する様な構造方式のため、発電では極板部に蓄積された電荷を負何部へ放出した後再度充電させる、その繰り返しの連続作用の行為が必要となる。連続した直線電流を得る為には充電放電の各部を担当するコンデンサー連が２列必用となる。１連でのコンデンサー連の発電原理方法は前に詳しく説明した。１連の１列のみでの発電電流の取り出しでは比較的簡単なものとなるが１連２列での電力取り出し方法の電気回路では出力電圧の安定確実な整合性確保のため基本図を図１６に示す電気回路に電圧を一定にする為フリップフロップ発振回路装置の挿入が必要となる。
【００５８】  其の２機の発電量の調整は、コンデンサー連の各個を乾電池接続の様に直列接続にして電気量を取り出すか、各個を並列によって取り出すかの２系統の方法にするかの選択をする電気回路図も図１４，１５，１６，に示す、又特に必要なコンデンサーの容量、耐電圧、連結個数の増減、機体重量、時定数によるフリップフロップ周波数等の各種条件で発電機体の設計に多くの選択自由度があり幾重に調整できる余裕がある。以上の条件の組み合わせ方により其の２機の全体形状を出力を変えずに小型にすることも十分に可能である。コンデンサー容量を小さな物を多数用いることにより時定数が関係する充放電を指揮する周波数を高くする事で可能となる。この機能は其の２機だけが持つ特殊な機能と云い得る。
【００５９】  其の１機，２機共発電の為の起動入力は従来機の機械力に替わる電流力である。電流のクーロン力は現在一般機械力を解説する所のニユートン力学の重力場が発する重力エネルギーのクーロン力に比べ力、量共に莫大な有益差があることは前に述べた。そのことを前提に考察する時当発明の電流力入力は少量でも従来機の物質消費的機械力入力の膨大な無駄と言える公害を撒き散らす遠周り的なエネルギー消費の量に十分等価的に有り余る値で対抗できる。それに依って入力装置は従来機に比べ小型簡便なものとなる、入力装置は２次電池的なバッテリー使用が大半となるが一般商用電源の使用も可能である。
【００６０】  入力電源装置には機体の発電部からの図１１，に示す電流抽出により充電補給される、其の１機、其の２機共発電機体は２次電池を仲立ちにして自立無援助機ともなりえる、其の原資は発電部が入力電流量を２倍量を超えて発電量を生産できることであり、発電機の対外機と対自己との効率比は計算も簡単に出来る、従来機の発電の為の膨大な資源浪費型の公害発生型の形態は資源消費効果に対する全体の原価計算の算出も不可能である。本発明は発電機２機共入力を電流力とし、磁石と金属導体板が電気を作り出す電磁誘導発電部や静電誘導部が高効率の発電反応機能部として各導体板が自動に電気を作り出す、発明２機共に導体板が電気を作り出す特殊な手段を持つ革新的な発電機構造方式である。
【００６１】  其の１機の全体の基本発電部、負荷部の全般電気回路図を図１１，１２，に示す、負荷部への出力電流の取り出しも発電部環体から並列か直列かによる方法に分かれる、並列取り出し方法の電気回路は簡単な物となるが、使用上での有益性では直列方式が電力量取り出しの選択肢が回路系統の選択により多く可能となる、その直列取り出しの多段部出力電力調整箇所の基本となるポテンションメーター的調整スイツチの電気回路図も図８，９，１１，に示す。
【００６２】  其の２機の全体の基本発電部、負荷部の総合電気回路図を図１４，１５，１６，に示す。その全般電気回路図の内訳は、その基本回路上の発電部本体はコンデンサーの連結連である、その連結連の発電系統電気回路図と、その本体を左右２連で充電放電作用を補填し合い直流電流を得るフリツプフロツプ的電気回路、コンデンサーの連結連本体部の各コンデンサーからの電力の取り出し回路、コンデンサー連結連全直列部からの電力の取り出し回路等の各３点もやや複雑な電気取り出し回路となる、その部分の詳細図を図１４，１５，１６，に示す。
【００６３】  本発明の発電機其の１機、２機共発電機部真髄の本体は簡単な構造体である。ことに発明の教義の本体であり利用した電磁気学上の原理は従来から使用されている原理の電磁気機能の理論を更に改変、電磁反応機構を簡単な物とした事にある。その各機からの発電電力の取り出し方法も電気回路図の選択肢と共に運用方法も多種類に及ぶ、ここでは一応発電全般の基本構成となる本発明の全体出力方法と基本機能構成図を図１１，１６，に示した。
【００６４】  其の２機の電気出力の取り出し方法は、発明機体の特性のため充電放電の出力断続がある、出力電圧波形を直線状にする方法ではコンデンサー連列を左右２連として複雑な取り出し電気回路であった、その電気回路を簡単にするため、出力電圧に断続の弊害があるがコンデンサー連列を、１連のみの使用で電気回路を簡単なものにする選択肢もある、但しこの出力電圧は入力電流に商用電源の１００Ｖを使用する時出力は断続の交流的となる、この出力電圧は周波数５０〜６０ヘルツであるからトランスにて任意の電圧の変換は安易となる、このトランスによる変換方法は其の１機の装置の場合も容易であるその場合、機に入力する始動電流を周波数５０〜６０ヘルツかそれ以上の任意の効率の良い周波数に、電流を断続させればトランスによる電磁誘導変換は容易である。本発明機は其の１機、２機共各発電機体各個を直列に連結させ出力電圧を倍増重畳させる発明特性を持っているため低圧から高電圧迄出力電力量や入力電力量を任意に調整選択の自由が可能な機体となっている発明機体からは各種電力取り出し方法や選択使用も自由自在に出来る機構となっている。
【００６５】  本発明を実施するための形態については添付図面で以って詳しく説明解説する、その詳細は図面を参照する事に依って発明の意図する詳細部迄文面と共に一目同然に理解出来きるよう発電機体を製作出来る様に基本図として示した。文面による実施するための説明では新規な発明機であるため膨大な説明と解説の為の紙面が必要となる、紙面だけの文面では発明の詳細迄発明が意図とする解説が出来ず誤った発信の危険性を防ぐためである、その様に理解出来きるよう基本図面を掲載した。本発明機の発明機構は大部分周知の一般電磁気学の範疇にある技術的に共に構造も簡単なものである。そこで、本発明装置をエンドレス化機体とするため、装置内の発電電気量の増殖分の一部を抽出して本発明装置の起動電源部に充電させる、この充電技術は既に一般周知の電気技術であるので敢えて詳細は述べないが、本発明の其の１機其の２機にこの機能が搭載可能であるので発明の本願である独立無援機とさせるため、敢えてこの装置に搭載する。図１１，示す。
【符号の説明】
【００６６】１Ａ      其の１機発電部本体斜視図
１Ｂ      発電部電極導体板
１Ｃ      磁石体
１Ｄ      電極穴
２Ａ      磁石環状体
２Ｂ      電極入力印加順序
３Ａ      電極材断面図
３Ｂ      磁石体
３Ｃ      電流入力流線方向
４Ａ      発電素子単体利用の場合の断面図
４Ｂ      磁気回路用鉄板
５Ａ      電極導体板の断面図
６Ａ      電極導体板のスリットカット
８Ａ      入力電流量調整器
９Ａ      発電電気量調整器
１０Ａ    其の１機発電素子
１０Ｂ    充電、放電タイミング指令発振器とトランジスター
１１Ａ    過電流保護ポリスイッチ
１１Ｂ    電源部への充電回路と装置
１１Ｃ    充電、放電タイミング指令周波数発振調整器
１３Ａ    放電作動スイッチ
１３Ｂ    電源種類選択スイッチ
１３Ｃ    負荷出力部
１３Ｄ    充電、放電タイミング発振器
１３Ｅ    発電作用コンデンサー
１３Ｆ    ダイオード
１４Ｂ    電源用バッテリー
１４Ｃ    交流電源整流ダイオードブリッヂ
１５Ａ    充電、放電タイミング発振器
１５Ｂ    交流電源のみの其の１機発電装置
１５Ｃ    出力トランス
１６Ａ    充電、放電タイミング発振器
１６Ｂ    下段列部直列、並列放電電流分配器
１６Ｃ    上段列部直列、並列放電電流分配器
１６Ｄ    上段列部、下段列部作動入力電流分配器、列左右端にあり
１６Ｅ    直列接続時電流断続器
１６Ｆ    並列接続時電流断続器
１６Ｇ    電源種類選択器
１６Ｈ    地中部へのアース装置
１６Ｉ    直流出力ターミナル
１６Ｊ    変圧周波数主発振装置
１６Ｋ    トランス及び交流出力調整部
１６Ｌ    １列目（１６Ｏ）コンデンサープラス（＋）極
１６Ｍ    １列目（１６Ｏ）コンデンサーマイナス（−）極
１６Ｎ    ２列目コンデンサー
１６Ｏ    １列目コンデンサー
【図１】
2013081347.tif 000003
【図２】
2013081347.tif 000004
【図３】
2013081347.tif 000005
【図４】
2013081347.tif 000006
【図５】
2013081347.tif 000007
【図６】
2013081347.tif 000008
【図７】
2013081347.tif 000009
【図８】
2013081347.tif 000010
【図９】
2013081347.tif 000011
【図１０】
2013081347.tif 000012
【図１１】
2013081347.tif 000013
【図１２】
2013081347.tif 000014
【図１３】
2013081347.tif 000015
【図１４】
2013081347.tif 000016
【図１５】
2013081347.tif 000017
【図１６】
2013081347.tif 000018